(57)【要約】【課題】本発明は印刷した紙を再入力した際の処理動作を制御する紙処理装置及び紙処理システムに関し、印刷された紙に対する処理の可否を電子的に任意の必要時に設定でき、それに応じて実際の紙が読み込まれたときにその設定により制限することで紙文書への操作を制御することを課題とする。【解決手段】紙に対し処理を実行する紙処理装置において、前記紙に対する所定処理の実行の許否を示す情報である処理判定情報を前記紙毎に設定する操作解釈部１０３と、処理判定情報を受けその管理を行う紙情報管理部１１０と、この紙情報管理部１１０から取得した処理判定情報と対応付けされたコード７０２（識別子）を前記紙に記録する印刷部１０９と、入力された紙に記録されているコード７０２を読み取り、入力された紙に対して前記所定処理を行う際紙情報管理部１１０に管理されているコード７０２に対応した処理判定情報に従って所定処理の実行の可否を決定する紙制御部１０６とを有する。【選択図】図１
2008078819.tif 000002
【特許請求の範囲】
【請求項１】
紙に対し処理を実行する紙処理装置において、
前記紙に対する所定処理の実行の許否を示す情報である処理判定情報を前記紙毎に設定する処理判定情報設定部と、
前記処理判定情報を受けその管理を行う紙情報管理部と、
該紙情報管理部から取得した前記処理判定情報と対応付けされた識別子を前記紙に記録する記録部と、
入力された紙に記録されている識別子を読み取り、前記入力された紙に対して前記所定処理を行う際、前記紙情報管理部に管理されている前記識別子に対応した前記処理判定情報に従って、前記所定処理の実行の可否を決定する紙制御部と
を有することを特徴とする紙処理装置。
【請求項２】
請求項１記載の紙処理装置において、
前記紙制御部１０６は、
前記所定処理が複数処理を有する場合、該複数の所定処理のいずれかを指定して処理要求されたときでも、前記紙情報管理部で管理されている前記処理判定情報に基づき当該処理の実行の可否を決定することを特徴とする紙処理装置。
【請求項３】
請求項１または２記載の紙処理装置において、
処理判定情報設定部は、前記処理判定情報として前記所定処理が実行された回数情報と、当該所定処理の実行制限回数情報とを設定し、
前記紙情報管理部は、前記回数情報と前記実行制限回数情報とを含む前記処理判定情報を管理し、
かつ、前記紙処理制御部は、前記紙に対する前記所定処理の回数が前記実行制限回数を超えたと判断した場合、該所定処理の実行を禁止することを特徴とする紙処理装置。
【請求項４】
請求項１または２記載の紙処理装置において、
処理判定情報設定部は、前記処理判定情報としてユーザ毎に前記所定処理の許否を示すユーザ情報を設定し、
前記紙情報管理部は、前記ユーザ情報を含む前記処理判定情報を管理し、
かつ、前記紙処理制御部は、前記ユーザ情報に基づき、前記紙に対する前記所定処理が当該所定処理を行おうとしているユーザに対して禁止されていると判断した場合、該所定処理の実行を禁止することを特徴とする紙処理装置。
【請求項５】
紙に対する所定処理の実行の許否を示す情報である処理判定情報を前記紙毎に設定する処理判定情報設定部を有する第１の紙処理制御装置と、
前記処理判定情報を受けその管理を行う紙情報管理部と、該紙情報管理部から取得した前記処理判定情報と対応付けされた識別子を前記紙に記録する記録部と、入力された紙に記録されている識別子を読み取ると共に前記入力された紙に対して前記所定処理を行う際に前記紙情報管理部に管理されている前記識別子に対応した前記処理判定情報に従って前記所定処理の実行の可否を決定する紙制御部とを有する第２の紙処理制御装置と、
前記第１の紙処理制御装置と前記第２の紙処理制御装置との間で、少なくとも前記処理判定情報の伝送を行う通信手段と、
を有することを特徴とする紙処理システム。
【発明の詳細な説明】
【技術分野】
【０００１】
本発明は紙処理装置及び紙処理システムに係り、特に印刷した紙を再入力した際の処理動作を制御する紙処理装置及び紙処理システムに関する。
【背景技術】
【０００２】
近年、コンピュータ等の情報機器を利用して電子文書が作成されており、その量や頻度はますます増大する傾向にある。それら大量の電子文書を管理するために各種の文書管理システムが開発されており、それら電子文書は紙に印刷されことも多い。
【０００３】
従来の文書管理システムでは電子文書を管理することが主目的であり、電子文書ではユーザ、リビジョン等の様々な管理を行っているのに対し、印刷された紙文書については、印刷情報として印刷枚数を保持する程度であり、ほとんど管理されていなかった。
【０００４】
そのため紙文書として印刷されたものが、コピーされた、Fax送信された、画像がE-Mail添付された等、どう利用されているかを知ることは困難であった。また、紙印刷後にその内容(コンテンツ)がそれがどう利用されたかは知ることもなく、ましてそれを制御することは不可能であった。
【０００５】
これに対応するものとして、特許文献１，２に開示された発明が提案されている。特許文献１に開示された発明は、電子文書から印刷する際に識別子を決定し、その紙に対してその識別子をともなって印刷することで紙と電子文書を一意に識別し、これによってその紙がどのような内容なのかを知ることができるようにしたものである。また、特許文献２に開示された発明は、出力した紙からの印刷要求をカウントし、最初に規定した枚数まで許可することでコピー処理を制御するよう構成したものである。
【特許文献１】特開２００５−１２２６８２号公報
【特許文献２】特開２００４−２１６８６３号公報
【発明の開示】
【発明が解決しようとする課題】
【０００６】
特許文献１に開示された発明では、電子文書から印刷する際に決定される識別子を紙に対して印刷することで紙と電子文書を一意に識別し、これによってその紙がどのような内容なのかを知ることができるようになった。しかしながら、引用文献１の発明では、当該識別子により、その紙がコピーされた、Fax送信された、画像がE-Mail添付された等の、ユーザが行おうとしている紙の処理に関わる制御を行うことはできない。
【０００７】
また、特許文献２に開示された発明では、紙への印刷時での設定のみでコピー処理を行う装置のみを制御しているにすぎず、またそのコピー処理制御でも最初に印刷したときにしか設定できない等の不具合がある。
【０００８】
本発明は上記に鑑みてなされたものであって、印刷された紙に対する処理の可否を電子的に任意の必要時に設定でき、それに応じて実際の紙が読み込まれたときにその設定により制限することで紙文書への操作を制御する紙処理装置及び紙処理システムを提供することを目的とする。
【課題を解決するための手段】
【０００９】
上記の課題を解決するために本発明では、次に述べる各手段を講じたことを特徴とするものである。
【００１０】
請求項１記載の発明は、
紙に対し処理を実行する紙処理装置において、
前記紙に対する所定処理の実行の許否を示す情報である処理判定情報を前記紙毎に設定する処理判定情報設定部と、
前記処理判定情報を受けその管理を行う紙情報管理部と、
該紙情報管理部から取得した前記処理判定情報と対応付けされた識別子を前記紙に記録する記録部と、
入力された紙に記録されている識別子を読み取り、前記入力された紙に対して前記所定処理を行う際、前記紙情報管理部に管理されている前記識別子に対応した前記処理判定情報に従って、前記所定処理の実行の可否を決定する紙制御部とを有することを特徴とするものである。
【００１１】
また、請求項２記載の発明は、
請求項１記載の紙処理装置において、
前記紙制御部１０６は、
前記所定処理が複数処理を有する場合、該複数の所定処理のいずれかを指定して処理要求されたときでも、前記紙情報管理部で管理されている前記処理判定情報に基づき当該処理の実行の可否を決定することを特徴とするものである。
【００１２】
また、請求項３記載の発明は、
請求項１または２記載の紙処理装置において、
処理判定情報設定部は、前記処理判定情報として前記所定処理が実行された回数情報と、当該所定処理の実行制限回数情報とを設定し、
前記紙情報管理部は、前記回数情報と前記実行制限回数情報とを含む前記処理判定情報を管理し、
かつ、前記紙処理制御部は、前記紙に対する前記所定処理の回数が前記実行制限回数を超えたと判断した場合、該所定処理の実行を禁止することを特徴とするものである。
【００１３】
また、請求項４記載の発明は、
請求項１または２記載の紙処理装置において、
処理判定情報設定部は、前記処理判定情報としてユーザ毎に前記所定処理の許否を示すユーザ情報を設定し、
前記紙情報管理部は、前記ユーザ情報を含む前記処理判定情報を管理し、
かつ、前記紙処理制御部は、前記ユーザ情報に基づき、前記紙に対する前記所定処理が当該所定処理を行おうとしているユーザに対して禁止されていると判断した場合、該所定処理の実行を禁止することを特徴とするものである。
【００１４】
また、請求項５記載の発明に係る紙処理システムは、
紙に対する所定処理の実行の許否を示す情報である処理判定情報を前記紙毎に設定する処理判定情報設定部を有する第１の紙処理制御装置と、
前記処理判定情報を受けその管理を行う紙情報管理部と、該紙情報管理部から取得した前記処理判定情報と対応付けされた識別子を前記紙に記録する記録部と、入力された紙に記録されている識別子を読み取ると共に前記入力された紙に対して前記所定処理を行う際に前記紙情報管理部に管理されている前記識別子に対応した前記処理判定情報に従って前記所定処理の実行の可否を決定する紙制御部とを有する第２の紙処理制御装置と、
前記第１の紙処理制御装置と前記第２の紙処理制御装置との間で、少なくとも前記処理判定情報の伝送を行う通信手段とを有することを特徴とするものである。
【発明の効果】
【００１５】
本発明によれば、入力された紙に記録されている識別子に基づき当該紙に対して所定処理を許可するかどうかを事前に判断することができ、よって当該紙に対してユーザの要求に対応した所定処理の実行、或いは所定処理の禁止を行うことができる。
【発明を実施するための最良の形態】
【００１６】
次に、本発明を実施するための最良の形態について図面と共に説明する。
【００１７】
図１は、本発明の一実施形態である紙処理システムの機能ブロックと、関連するハードウェア及び外部装置の関係を示した図である。また、同図に示す紙処理システムは、一つの紙処理装置１０１により構成された例を示している。
【００１８】
紙処理装置１０１は、ユーザI/F制御部１０２を介してディスプレイやキーボード等の入出力装置１１２から入力されたユーザ入力を受け、これを操作解釈部１０３へ要求として渡したり、また操作解釈部１０３の出力要求を受けて入出力装置１１２へ当該出力内容を表示したりする制御を行う。操作解釈部１０３では入力されたユーザの要求を解釈して印刷ファイルをディスクI/F制御部１１１へ送ったり、紙の処理設定情報を紙情報管理部１１０へ送ったりする。
【００１９】
また、画像処理装置１０１は、スキャナ等の紙入力装置１１３が接続されると共に、この紙入力装置１１３を操作して紙の画像を取得する制御を行う紙入力I/F制御部１０５を備えている。さらに、紙入力装置１１３にはカード認証リーダ１１６が設けられており、ユーザのカードから読み取ったユーザＩＤを取得可能な構成とされている。
【００２０】
紙制御部１０６はスキャナI/F制御部１０５を介して紙入力装置１１３から得られる紙画像７０１（図７参照）から印刷されているコード７０２（例えばバーコード）を識別し、当該コード７０２に対応した処理を実行するかどうかを紙情報管理部１１０から取得した処理設定情報を利用して判断する（これについては、後に詳述する）。紙処理実行部１０７では処理を実際に実行する。
【００２１】
紙情報管理部１１０は、ディスク装置１１５に格納された電子文書とそのID(識別子)との関係が一対一になるようテーブル８０１（図８参照）の管理（登録、削除、参照等）を行う。また紙情報管理部１１０は、操作解釈部１０３からの要求により印刷部１０９（請求項に記載の記録部に相当）に与えられた画像のIDコード印刷の要求も行う（これについても、後に詳述する）。
【００２２】
印刷部１０９は、ディスク装置１１５等に格納された電子文書にIDコードを付与し、紙出力装置１１４（プリンタ等）で印刷するための画像を作成する。この紙出力装置１１４は、紙出力I/F制御部１０８により操作され、紙の画像を取得する制御を行う。
【００２３】
また、印刷部１０９にはディスクI/F制御部１１１を介してディスク装置１１５が接続されている。ディスクI/F制御部１１１はディスク装置１１５を制御することにより、電子文書をはじめとする各種ファイルをディスク装置１１５内に格納したり、また指定されたファイルをディスク装置１１５から要求元にデータを送信したりする機能を奏する。
【００２４】
図２は、本発明での他の実施形態である紙処理システム及び紙処理装置２０１，２０２の機能ブロックと関連するハードウェア、装置との関係を示している。
【００２５】
図１を用いて前記した紙処理装置１０１は、電子文書の格納、電子文書の印刷、スキャン入力した紙の処理等の機能がすべて直接的に接続されたハードウェアで実現するよう構成されていた。
【００２６】
これに対して本実施形態に係る紙処理システムは、ユーザの入力部（入出力装置１１２等）やディスクへのストレージ部（ディスク装置１１５等）に関係するハードウェアブロックや装置を紙処理装置２０１の外部であるネットワーク２０３上に配置し、それらを遠隔的に使用する構成としている。
【００２７】
なお、図２に示した構成の内、図１に示した紙処理装置１０１と基本的機能が同等な機能ブロック、ハードウェア、装置については同じ番号を付与し、その説明は省略するものとする。
【００２８】
紙処理装置２０１，２０２は、それぞれ前記した紙処理装置１０１の一部の機能ブロックを備え、それぞれがネットワークI/F制御部２０４，２０５を介してLAN(Local Area Network)等のネットワーク２０３に接続されている。ネットワーク２０３上には紙処理装置２０１、２０２と通信可能なファイルサーバとして動作するコンピュータ装置２０６が存在し、文書の格納、取得等の操作を画像処理装置２０１,２０２からの操作要求により遠隔操作することで実現している。
【００２９】
続いて、本発明で特に特徴的な操作解釈部１０３、紙制御部１０６, 紙処理実行部１０７,印刷部１０９の制御手順と紙情報管理部１１０の紙情報管理方法について図を用いて詳細に説明する。なお、以下説明する紙情報管理方法は、前記した紙処理装置１０１或いは紙処理装置２０１，２０２のいずれを用いた紙処理システムにおいても適用可能なものである。
【００３０】
図３は、ユーザI/F制御部１０２からユーザの入力を受けたときに操作解釈部１０３（請求項に記載の処理判定情報設定部に相当する）が実施する制御手順を示すフローチャートである。
【００３１】
操作解釈部１０３は、まずユーザが入出力装置１１２を用いて入力した内容（要求）を受け取る(S301)。続いて、操作解釈部１０３は、ユーザが入力した内容が電子文書から本紙処理装置１０１で使うための紙を取得するための印刷操作要求か、または既に印刷された紙への処理設定要求かどうかを判断する(S302,S305)。
【００３２】
入力が印刷操作要求である場合には、操作解釈部１０３はディスクI/F制御部１１１に対して入力操作時に同時に渡された電子文書データを渡す(S303)。また、ディスクI/F制御部１１１は、渡された電子文書データディスク装置１１５へ送り格納すると共に、入力された内容(格納された電子文書名を含む)を紙制御部１０６へ渡して処理を終了する(S304)。
【００３３】
一方、要求が紙への処理設定操作である場合は、操作解釈部１０３は入出力装置１１２から入力されたデータを紙情報管理部１１０へ渡して格納する。なお、その入力データの種類は紙情報管理部１１０で管理している項目に依存するものであり、これについては後述するものとする。
【００３４】
図４は、操作解釈部１０３においてユーザI/F制御部１０２からの入力が印刷操作であり、かつ操作解釈部１０３より入出力装置１１２から入力されたデータが送られたとき (S304参照)、紙制御部１０６が実行する制御手順を示すフローチャートである。
【００３５】
紙制御部１０６は、操作解釈部１０３から電子文書名を含んだ印刷要求を受け取ると(S401)、その電子文書名を紙情報管理部１１０に対してID登録依頼をしてIDを取得する(S402)。次に、紙制御部１０６は、取得したID、電子文書名、及び印刷するページ番号を印刷部１０９へ渡して処理を終了する(S403)。
【００３６】
図８は、紙情報管理部１１０で管理しているIDテーブル８０１（請求項に記載の処理判定情報に相当する）の格納情報の一例を図示したものである。図８において、各行(例えば８０６の範囲)がID登録レコードの一単位であり、各列（８０２〜８０５）が登録要素となっている。列８０２には本テーブル８０１内で唯一のIDが格納される。
【００３７】
また、列８０３には電子文書を一意に決定する情報（ここでは画像処理装置１０１内の大容量記憶装置部１１５内での位置を示すパス名）が格納されている。さらに、列８０４には、印刷したページ番号が格納されている。そして、列８０５には、本実施形態に係る紙処理システムに実施させる所定処理（例えばこの紙をコピーすること等）についての許可(OK)或いは不許可(NG)の許否設定情報が格納されている。
【００３８】
図５は、紙制御部１０６から印刷要求を受けたとき(S403参照)、印刷部１０９が実行する制御手順を示すフローチャートである。
【００３９】
印刷部１０９は、紙制御部１０６から取得したID、電子文書名、及び印刷するページ番号を取得する(S501)と、ディスクI/F制御部１１１を介してディスク装置１１５から渡された電子文書名のデータを取出す(S502)。そしてIDを例えばバーコード等に画像化し(S503)、またスキャンした画像のスキューを補正するためのタイミングマークと共に電子文書の印刷するページに重畳して印刷画像を作成する(S504)。この印刷画像は、紙出力I/F制御部１０８を介してプリント装置１１４に送られ(S505)、紙出力装置１１４で印刷処理が行われる。
【００４０】
図７は、印刷部１０９において作成された紙画像例を示している。紙画像７０１には電子文書に含まれているコンテンツ部７０７が描画されている。さらに、紙画像７０１の四隅には、タイミングマークとして黒四角７０３，７０４，７０５，７０６が設けられている。
【００４１】
この黒四角７０３，７０４，７０５，７０６により、コンテンツ部７０７は紙画像７０１内の位置が規定されている。これにより、スキャナ装置１１３等で読み取られた画像が歪んだとしても補正が可能となる。また、本実施例ではコンテンツ部７０７の右上部位置に、紙制御部１０６が紙情報管理部１１０から取得したIDをコード画像として張り付けたコード７０２（請求項記載の識別子に相当）を設けている。
【００４２】
図６は、紙入力I/F制御部１０５からスキャンによる入力操作を渡されたときに、紙制御部１０６が実施する制御手順を示すフローチャートである。
【００４３】
紙入力装置１１３で読み取られた紙のスキャン画像７０１を紙入力I/F制御部１０５から受け取ると(S601)、紙制御部１０６はこのスキャン画像７０１に対して座標が規定されている四隅のタイミングマーク（黒四角７０３，７０４，７０５，７０６）を識別して画像のスキュー補正を行う(S602)。続いて、紙制御部１０６は、スキャン画像７０１からコード７０２を探し、デコードを行ってIDを取得する(S603)。
【００４４】
次に紙制御部１０６は取得したIDを紙情報管理部１１０に渡し、紙情報管理部１１０に格納され管理されているテーブル８０１から、当該ＩＤに対応する電子文書の情報を受け取る(S604)。具体的には、取得したIDがID=0001であった場合は、テーブル８０１（図８参照）の列８０３から大容量記憶装置部１１５内での当該電子文書の位置を示すパス名を受け取る。
【００４５】
続いて、紙制御部１０６は、上記のように入力された紙に対し、所定処理が許可されているかを調べる(S605)。本実施形態における「所定処理」とは、当該紙に対するコピー処理である。このコピー処理を許可するか否かの情報（処理判定情報）は、テーブル８０１の列８０５に格納されている。
【００４６】
前記のように、取得したIDがID=0001であった場合、テーブル８０１の行は８０６であり、当該行８０６における「所定処理」の許否の情報が格納された列８０５には「ＯＫ」が格納されている。よって、紙制御部１０６は、テーブル８０１に格納された処理判定情報より入力された紙に対してはコピー処理が許可されていると判定する。
【００４７】
このように入力された紙に対してはコピー処理が許可されていると判定された場合、紙画像７０１とディスク装置１１５から読み出された電子文書情報を印刷部１０９に送信し、紙出力装置１１４は当該電子文書等を印字処理（コピー）する(S606)。一方、コピー処理が許可されていないと判定された場合は、S606の処理を実行することなく処理を終了する。
【００４８】
このように本実施形態によれば、入力された紙に記録されているコード７０２（識別子）に基づき当該紙に対して所定処理（コピー処理）を許可するかどうかを事前に判断することができ、よって当該紙に対してユーザの要求に対応した所定処理（コピー処理）の実行、或いは所定処理（コピー処理）の禁止を行うことが可能となる。
【００４９】
図９乃至図１１は、図８に示したテーブル８０１の他実施形態であるテーブル９０１，１００１，１１０１を示している。なお、図９乃至図１１において、図８と同等の意味である項目には同じ番号を付与している。
【００５０】
図９は、紙情報管理部１１０が管理するテーブルの別の例である。図９に示すテーブル９０１では、列８０５とは別の処理の許可不許可を表す列９０２が存在している。ここで列８０５は、図８に示したテーブル８０１と同様に、入力した紙のコピーを許可するかどうかの情報を格納している。
【００５１】
テーブル９０１の列９０２は、スキャンした画像をメール送信する処理（所定処理のひとつ）を許可するかどうかの情報を格納している。このように、所定処理の可否に関する情報を格納する列を任意の数用意しておけば、紙制御部１０６による所定処理の可否判断(S606)において複数の許否判断を行うことが可能となる。
【００５２】
図１０に示すテーブル１００１では、所定処理の許否を判断するための情報が、図８に示したテーブル８０１の列８０５とは異なる形式で列１００２に格納されている。列１００２では、図８に示した列８０５を細分化し、許可設定数と現在許可した数の二つを情報として持った構成としている。
【００５３】
従って、テーブル１００１では、例えばID=0001の場合は許可数は1で、また現在までで許可した数は0であってこれまで許可したことがないことを意味している。本実施形態によれば、紙制御部１０６による所定処理の許否判定(S605)では、許可設定数が現在許可済み数を超えていれば許可、そうでなければ不許可と判定することが可能となる。なお、本実施形態では、許可判定されて実際に処理が行われる際には、現在許可済み数をインクリメントする処理を行う必要がある。
【００５４】
図１１に示すテーブル１１０１では、図８に示したテーブル８０１の列８０５とは異なる形式で、所定処理の許否を判断するための情報を表す列１１０２及び列１１０３が存在している。本実施形態では、列１１０２に所定処理に対してユーザAが許可されているかどうか(OKかNG)の情報が格納されている。同様に列１１０３には、所定処理に対してユーザBが許可されているかどうかの情報が格納されている。
【００５５】
具体的には、図１１に示す例えばID=0001の場合は、ユーザAには所定処理を許可をしており、ユーザBに対しては許可していない設定となっている。このようにすれば、例えばカード認証リーダ１１６等を使ってユーザ情報を含んだデータが紙制御部１０６にあれば、所定処理の許否判定(S605)において、そのユーザ情報とテーブル１１０１の列１１０２，１１０３に格納された情報から、所定処理の許否判断を行うことができる。
【００５６】
なお、図８〜１１における各テーブル３０１，９０１，１００１，１１０１において、それぞれ独自の管理項目列を増やしたり、管理項目列の中でもセパレータを規定して許可判断項目を増やしたり、また紙情報管理部１１０で判断基準の組み合わせを行う等により、複数判断条件の場合でも容易に対応することが可能となる。
【図面の簡単な説明】
【００５７】
【図１】図１は、本発明の一実施形態である紙処理システムの機能ブロックと、関連するハードウェア及び外部装置の関係を示す図である。
【図２】図２は、本発明での他の実施形態である紙処理システム及び紙処理装置の機能ブロックと関連するハードウェア、装置との関係を示す図である。
【図３】図３は、ユーザI/F制御部からユーザの入力を受けたときに操作解釈部が実施する制御手順を示すフローチャートである。
【図４】図４は、操作解釈部においてユーザI/F制御部からの入力が印刷操作であり、かつ操作解釈部より入出力装置から入力されたデータが送られたとき紙制御部が実行する制御手順を示すフローチャートである。
【図５】図５は、紙制御部から印刷要求を受けたとき、印刷部が実行する制御手順を示すフローチャートである。
【図６】図６は、紙入力I/F制御部からスキャンによる入力操作を渡されたときに、紙制御部が実施する制御手順を示すフローチャートである。
【図７】図７は、印刷部において作成された紙画像例を示す図である。
【図８】図８は、紙情報管理部で管理しているIDテーブルの格納情報の一例を示した図である（その１）。
【図９】図９は、紙情報管理部で管理しているIDテーブルの格納情報の一例を示した図である（その２）。
【図１０】図１０は、紙情報管理部で管理しているIDテーブルの格納情報の一例を示した図である（その３）。
【図１１】図１１は、紙情報管理部で管理しているIDテーブルの格納情報の一例を示した図である（その４）。
【符号の説明】
【００５８】
１０１，２０１，２０２  紙処理装置
１０２  ユーザＩ／Ｆ制御部
１０３  操作解釈部
１０５  紙入力Ｉ／Ｆ制御部
１０６  紙制御部
１０７  紙処理実行部
１０８  紙出力Ｉ／Ｆ制御部
１０９  印刷部
１１０  紙情報管理部
１１１  ディスクＩ／Ｆ制御部
１１２  入出力装置
１１３  紙入力装置
１１４  紙出力装置
１１５  ディスク装置
２０３  ネットワーク
２０４，２０５  ネットワークＩ／Ｆ制御部
２０６  コンピュータ装置
７０１  スキャン画像
７０２  コード
７０７  コンテンツ部
８０１，９０１，１００１，１１０１  テーブル
【図１】
2008078819.tif 000003
【図２】
2008078819.tif 000004
【図３】
2008078819.tif 000005
【図４】
2008078819.tif 000006
【図５】
2008078819.tif 000007
【図６】
2008078819.tif 000008
【図７】
2008078819.tif 000009
【図８】
2008078819.tif 000010
【図９】
2008078819.tif 000011
【図１０】
2008078819.tif 000012
【図１１】
2008078819.tif 000013